(57)【要約】【課題】ＦＡＴファイルシステムを用いて記録媒体に記録されたファイルの読み込みに際し、少ない読み込み時間で足りるファイルにおける注意文のちらつき表示、多くの読み込み時間を要するファイルにおける注意文の不表示を抑制するファイル再生装置を提供することを目的とする。【解決手段】ＦＡＴファイルシステムを用いて記録媒体に記録されたファイルのＦＡＴサイズを検出するＦＡＴサイズ検出手段と、前記記録媒体の転送速度と自己のデータ読込み速度を検出する読込み速度検出手段と、前記読込み速度検出手段の出力に基いてＦＡＴサイズ閾値を算出する基準値算出手段と、前記ＦＡＴサイズ検出手段の出力と前記基準値算出手段の出力を比較する比較手段と、前記比較手段の出力が前記ＦＡＴサイズ検出手段の出力が前記基準値算出手段の出力よりも大きい旨を示す場合にのみ読み込み中である旨の表示を行う表示手段と、を有する。【選択図】図１
2008210332.tif 000002
【特許請求の範囲】
【請求項１】
ＦＡＴファイルシステムを用いて記録媒体に記録されたファイルのＦＡＴサイズを検出するＦＡＴサイズ検出手段と、
前記記録媒体の転送速度と自己のデータ読込み速度を検出する読込み速度検出手段と、
前記読込み速度検出手段の出力に基いてＦＡＴサイズ閾値を算出する基準値算出手段と、
前記ＦＡＴサイズ検出手段の出力と前記基準値算出手段の出力を比較する比較手段と、
前記比較手段の出力が前記ＦＡＴサイズ検出手段の出力が前記基準値算出手段の出力よりも大きい旨を示す場合にのみ読み込み中である旨の表示を行う表示手段と、
を有するファイル再生装置。
【請求項２】
再生する記録メディアがディスクメディアであるか否かを検出する記録メディア種別検出手段と、
ディスクからデータを読み込むピックアップ位置を検出するピックアップ位置検出手段と、
前記ピックアップ位置検出手段から得られるピックアップ位置からＦＡＴの記録位置までアクセスするために必要な時間を算出するアクセス時間算出手段と、
前記アクセス時間算出手段から得られるアクセス時間を考慮して基準値を算出するアクセス時間考慮基準値算出手段と、
を更に有する請求項１記載のファイル再生装置。
【発明の詳細な説明】
【技術分野】
【０００１】
本発明は、記録媒体及び再生機器読み込み速度に応じてユーザ通知表示機能を制御するファイル再生装置に関するものである。
【背景技術】
【０００２】
近年の半導体技術の向上により記録媒体の大容量化が進み、ユーザは高音質・高画質で記録されたデータサイズの大きなファイルを記録媒体に保存することが可能になってきている。そのような流れの中、ファイル割り当てテーブル（Ｆｉｌｅ  Ａｌｌｏｃａｔｉｏｎ  Ｔａｂｌｅ。以下「ＦＡＴ」という。）を用いて記録媒体上のファイルを管理するＦＡＴファイルシステムが知られている（例えば特許文献１参照。）。
【０００３】
図６はＦＡＴファイルシステムの構成図である。ＦＡＴファイルシステムはシステム領域１０１とデータ領域１０２から構成されており、データ領域１０２は１つ以上のセクタから構成されるクラスタと呼ばれる単位で管理されている。クラスタを識別する番号はＦＡＴ１２の場合は１２ビットの情報、ＦＡＴ１６の場合は１６ｂｉｔの情報、ＦＡＴ３２の場合は３２ｂｉｔの情報で表される。１クラスタのサイズは、“１セクタのサイズ×１クラスタのセクタ数”であり、ファイルはファイルサイズに応じたクラスタ数で構成される。ファイル１０３はクラスタの単位でデータ領域１０２に配置されている。データ領域１０２には、ディレクトリ毎にディレクトリエントリ１０４というファイル管理識別子があり、このディレクトリエントリ１０４でディレクトリ内に存在するファイルやディレクトリが管理される。管理対象がデータファイルの場合はデータが実際に記録されている開始クラスタ番号とファイルサイズがディレクトリエントリ１０４に記録される。ＦＡＴ１０５は記録されているファイル１０３が開始クラスタ番号から次のどのクラスタへ連結されて配置しているか管理するためのテーブルであり、ＦＡＴ１０５の各要素がデータ領域１０２の各クラスタに対応している。
【０００４】
図７はＦＡＴを用いたファイルシステムのクラスタチェーンを示す図である。ここでは１クラスタサイズが１６ＫＢｙｔｅのＦＡＴ１６にファイルサイズが２７２ＫＢｙｔｅのファイルが記録された場合を示す。ファイルはクラスタ番号０００２ｈから、００１２ｈまで配置されている。ファイルサイズが２７２ＫＢｙｔｅで、１クラスタのサイズが１６ＫＢｙｔｅであるので必要なクラスタは１７となる。
【０００５】
記録されたファイルを再生する際に事前にＦＡＴを読み込みファイル実体のクラスタチェーン構造を構築する機器においては、ファイルサイズが大きくなるとそれに従ってファイルを構成するクラスタ数も増加するため、ＦＡＴの参照領域サイズが増え、ファイル再生前に処理する時間が長くなる。
【０００６】
ＦＡＴファイルシステムを使用するユーザはファイルを構成するＦＡＴの参照領域サイズを認識できないため、クラスタチェーンの解析時間、つまりファイル遷移に有する時間を認識することができない。そのためファイル遷移中にストレスを感じさせることになっていた。そこで、ユーザのストレスを軽減させるためにファイルのファイルサイズや読み込むＦＡＴサイズに対して機器が一意に閾値を設定し、その閾値を超えるファイルを再生する際には、ファイル遷移に時間が掛かることを事前にユーザに注意文等を用いて通知することにより、ユーザの待ち時間時に発生するストレスの軽減を図っている。
【０００７】
一方、記録媒体の種類も読み込み速度を抑えた低速な記録媒体等が多数登場したことにより、市場では様々な読み込み速度を持つ記録媒体が使用されるようになってきている。
【特許文献１】特開２００４−１３２７６号公報
【発明の開示】
【発明が解決しようとする課題】
【０００８】
しかしながら上記の従来の構成では、読み込み速度は記録媒体により異なるため記録媒体によってデータの読み込む時間にばらつきが発生し、
読み込み速度の早い記録媒体に記録された閾値を超えているファイルを再生する場合はＦＡＴの読み込みが直ぐに終了し、表示した注意文がちらつく、また読み込み速度の遅い記録媒体に記録された閾値以下のファイルを再生する場合は読み込みに時間が多くかかるにも関わらずユーザに注意文が表示されない等の問題点を有していた。尚、上記では、記録媒体の読み込み速度についての問題点を説明したが、これはデータの読み出し速度においても同様なことが言える。
【０００９】
本発明は上記従来の問題点を解決するもので、ＦＡＴファイルシステムを用いて記録媒体に記録されたファイルの読み込みに際し、少ない読み込み時間で足りるファイルにおける注意文のちらつき表示、多くの読み込み時間を要するファイルにおける注意文の不表示を抑制するファイル再生装置を提供することを目的とする。
【課題を解決するための手段】
【００１０】
この目的を達成するために本発明のファイル再生装置は、ＦＡＴファイルシステムを用いて記録媒体に記録されたファイルのＦＡＴサイズを検出するＦＡＴサイズ検出手段と、前記記録媒体の転送速度と自己のデータ読込み速度を検出する読込み速度検出手段と、前記読込み速度検出手段の出力に基いてＦＡＴサイズ閾値を算出する基準値算出手段と、前記ＦＡＴサイズ検出手段の出力と前記基準値算出手段の出力を比較する比較手段と、前記比較手段の出力が前記ＦＡＴサイズ検出手段の出力が前記基準値算出手段の出力よりも大きい旨を示す場合にのみ読み込み中である旨の表示を行う表示手段とを備えた構成を有している。
【００１１】
また、再生する記録メディアがディスクメディアであるか否かを検出する記録メディア種別検出手段と、ディスクからデータを読み込むピックアップ位置を検出するピックアップ位置検出手段と、前記ピックアップ位置検出手段から得られるピックアップ位置からＦＡＴの記録位置までアクセスするために必要な時間を算出するアクセス時間算出手段と、前記アクセス時間算出手段から得られるアクセス時間を考慮して基準値を算出するアクセス時間考慮基準値算出手段とを更に備えた構成を有している。
【００１２】
この構成によって、記録媒体とファイル再生装置の読み取り速度を管理し、その遅い方の速度を用いて、注意文の表示有無を決定する閾値を算出し、再生予定のファイルで参照されるＦＡＴのサイズが閾値を超えているか比較する手段を有し、比較結果に応じてユーザに対して注意文を表示する特徴を有する。
を備えた構成を有している。
【００１３】
この構成によって、ＦＡＴファイルシステムを用いて記録媒体に記録されたファイルの読み込みに際し、少ない読み込み時間で足りるファイルにおける注意文のちらつき表示、多くの読み込み時間を要するファイルにおける注意文の不表示を抑制するファイル再生装置が得られる。
【発明の効果】
【００１４】
以上のように本発明は、ＦＡＴファイルシステムを用いて記録媒体に記録されたファイルの読み込みに際し、少ない読み込み時間で足りるファイルにおける注意文のちらつき表示、多くの読み込み時間を要するファイルにおける注意文の不表示を抑制するファイル再生装置を提供することができるという優れた効果が得られる。
【発明を実施するための最良の形態】
【００１５】
以下、図面を参照しながら説明する。
(実施の形態１)
図１は本発明の実施の形態１におけるファイル再生装置の構成を示すブロック図である。ファイル再生装置３００はファイルが記録されている記録媒体３０１の出力を処理する。ファイル再生装置３００は、記録媒体に記録されたファイルのＦＡＴサイズを取得するＦＡＴサイズ検出手段３０２、記録媒体の転送速度と再生機器のデータ読込み速度を取得する読込み速度検出手段３０３、記録媒体の転送速度と再生機器のデータ読込み速度とＷａｉｔ表示可否判断時間から基準となるＦＡＴサイズ閾値を算出する基準値算出手段３０４、ＦＡＴサイズ検出手段から算出されたＦＡＴサイズと、基準サイズ算出手段から算出されたＦＡＴサイズ閾値を比較する比較手段３０５、比較手段により比較された結果、ＦＡＴサイズの方がＦＡＴサイズ閾値より大きい場合に注意文の表示を制御する表示手段３０６、注意文を表示するモニタ３０７から構成される。
【００１６】
まず、記録媒体３０１に記録されているファイルのＦＡＴサイズ（Ｓｆｃ）をＦＡＴサイズ検出手段３０２により算出する。ＦＡＴサイズ検出手段３０２でＦＡＴサイズ（Ｓｆｃ）を算出するために、記録されているファイルのファイルサイズ、ＦＡＴ種別（ＦＡＴ１２、ＦＡＴ１６、ＦＡＴ３２かどうか判定）、１セクタのサイズ、１クラスタのセクタ数を取得する。まず始めに、記録されているファイルのクラスタ数を以下の計算方法で算出する。
【００１７】
記録されているファイルのクラスタ数＝ファイルサイズ÷（１セクタのサイズ×１クラスタのセクタ数）
次にクラスタ数とＦＡＴ種別からＦＡＴサイズを求める
ＦＡＴサイズ（バイトサイズ）＝クラスタ数×ＦＡＴ種別のビット数÷８（ｂｉｔ／Ｂｙｔｅ）
例として、（ファイルサイズ５００ＭＢｙｔｅ、ＦＡＴ種別：ＦＡＴ３２、１セクタのサイズ：５１２Ｂｙｔｅ、１クラスタのセクタ数：８セクタ）の場合は以下の計算結果となる。
【００１８】
クラスタ数＝５００ＭＢｙｔｅ÷（５１２Ｂｙｔｅ×８セクタ）＝１２８０００クラスタ
ＦＡＴサイズ（バイトサイズ）＝１２８０００クラスタ×３２ｂｉｔ÷８（ｂｉｔ／Ｂｙｔｅ）＝５１２０００Ｂｙｔｅ（５００ＫＢｙｔｅ）
このようにＦＡＴサイズ（Ｓｆｃ）は５００ＫＢｙｔｅとなる。
【００１９】
次に、読込み速度検出手段３０３で記録媒体３０１の記録媒体転送速度（Ｖｒｍ）と再生機器自体のデータ読込み速度（Ｖｒｓ）を取得する。次に、基準値算出手段３０４により基準となるＦＡＴサイズ閾値（Ｓｆｂ）を算出する。読込み速度検出手段３０３で取得した記録媒体転送速度（Ｖｒｍ）と再生機器データ読込み速度（Ｖｒｓ）を比較して、遅い速度を基準速度（Ｖｒ）とする。ＦＡＴ読込み時にかかる時間が規定値以上の場合にＷａｉｔ表示させるための基準時間をＷａｉｔ表示可否判断時間（Ｔｂ）とする。すなわち、Ｗａｉｔ表示可否判断時間（Ｔｂ）よりＦＡＴ読込み時間が長くなる場合にのみＷａｉｔの注意文を表示し、ＦＡＴ読込み時間が短い場合は注意文表示しない。ＦＡＴサイズ閾値（Ｓｆｂ）はＷａｉｔ表示可否判断時間（Ｔｂ）と、基準速度（Ｖｒ）から以下の計算方法で算出する。
【００２０】
ＦＡＴサイズ閾値（Ｓｆｂ）＝Ｗａｉｔ表示可否判断時間（Ｔｂ）×基準速度（Ｖｒ）
例１として、記録媒体転送速度（Ｖｒｍ）：２Ｍｂｐｓ、再生機器データ読込み速度（Ｖｒｓ）：５Ｍｂｐｓ、Ｗａｉｔ表示可否判断時間（Ｔｂ）：１秒の場合は以下の計算結果となる。
【００２１】
基準速度（Ｖｒ）は記録媒体転送速度（Ｖｒｍ）の方が再生機器データ読込み速度（Ｖｒｓ）より遅いので、基準速度（Ｖｒ）＝２Ｍｂｐｓとなる。
【００２２】
ＦＡＴサイズ閾値（Ｓｆｂ）＝１秒×２Ｍｂｐｓ＝２Ｍｂｉｔ＝２５６ＫＢｙｔｅ
このようにＦＡＴサイズ閾値は２５６ＫＢｙｔｅとなる。
【００２３】
次に比較手段３０５により、ＦＡＴサイズ検出手段３０２から得られるＦＡＴサイズ（Ｓｆｃ）、基準値算出手段３０４から得られるＦＡＴサイズ閾値（Ｓｆｂ）を比較する。例１では、ＦＡＴサイズ：５００ＫＢｙｔｅ、ＦＡＴサイズ閾値：２５６ＫＢｙｔｅであり、ＦＡＴサイズの方がＦＡＴサイズ閾値より大きいため、表示手段３０６に注意文表示を通知する。
【００２４】
次に、表示手段３０６はモニタ３０７に注意文を表示する。
【００２５】
また、例２として、記録媒体転送速度（Ｖｒｍ）：１０Ｍｂｐｓ、再生機器データ読込み速度（Ｖｒｓ）５Ｍｂｐｓ、Ｗａｉｔ表示可否判断時間（Ｔｂ）：１秒の場合は以下の計算結果となる。
【００２６】
基準速度（Ｖｒ）は記録媒体転送速度（Ｖｒｍ）の方が再生機器データ読込み速度（Ｖｒｓ）より早いので、基準速度（Ｖｒ）＝５Ｍｂｐｓとなる。
【００２７】
ＦＡＴサイズ閾値（Ｓｆｂ）＝１秒×５Ｍｂｐｓ＝５Ｍｂｉｔ＝６４０ＫＢｙｔｅ
ＦＡＴサイズ閾値は６４０ＫＢｙｔｅとなる。
【００２８】
この場合はＦＡＴサイズ（５００ＫＢｙｔｅ）の方がＦＡＴサイズ閾値（６４０ＫＢｙｔｅ）より小さいため、表示手段３０６に注意文表示を通知しない。
【００２９】
図２は転送速度の異なる記録媒体にファイルを記録した場合の模式図である。
【００３０】
図３は本発明の実施の形態１におけるファイル再生装置の処理を示すフローチャートである。まず始めに、ステップＳ５０１にて記録されているファイルのＦＡＴサイズ（Ｓｆｃ）を取得する。ステップＳ５０２にて記録媒体転送速度（Ｖｒｍ）を取得し、ステップＳ５０３にて再生機器のデータ読込み速度（Ｖｒｓ）を取得する。次にステップＳ５０４にて記録媒体転送速度（Ｖｒｍ）と再生機器データ読込み速度（Ｖｒｓ）を比較する。記録媒体転送速度（Ｖｒｍ）の方が遅い場合は、ステップＳ５０５にて基準速度（Ｖｒ）を記録媒体転送速度（Ｖｒｍ）に設定する。再生機器データ読込み速度（Ｖｒｓ）の方が遅い場合は、ステップＳ５０６にて基準速度（Ｖｒ）を再生機器データ読込み速度（Ｖｒｓ）に設定する。次にステップＳ５０７にて基準速度（Ｖｒ）とＷａｉｔ表示可否判断時間（Ｔｂ）からＦＡＴサイズ閾値（Ｓｆｂ）を算出する。ステップＳ５０８にて、ＦＡＴサイズ（Ｓｆｃ）とＦＡＴサイズ閾値（Ｓｆｂ）を比較する。ＦＡＴサイズ（Ｓｆｃ）が大きい場合はステップＳ５０９にて注意文をディスプレイに表示する。ＦＡＴサイズ閾値（Ｓｆｂ）が大きい場合は注意文を表示せずに処理を終了する。
【００３１】
以上のように本実施の形態では、記録媒体及び機器の特性に応じて、ユーザに対して注意文を表示する判断を行うＦＡＴサイズの閾値を変更するため、記録媒体の特性に影響を受けず、ＦＡＴの読み込みに有する時間が規定値以上になる場合のみ注意文表示を行う。これにより、ファイルの読み込みに際し、少ない読み込み時間で足りるファイルにおける注意文のちらつき表示、多くの読み込み時間を要するファイルにおける注意文の不表示を抑制するファイル再生装置を提供することができる。
(実施の形態２)
図４は本発明の実施の形態２におけるファイル再生装置の構成を示すブロック図である。ファイル再生装置６００はファイルが記録されている記録媒体６０１の出力を処理する。ファイル再生装置６００は、記録媒体がＣＤ／ＤＶＤのようなディスクメディアであるかを検出する記録メディア種別検出手段６０２、ディスクからデータを読み出すピックアップがどの位置にあるか検出するピックアップ位置検出手段６０３、ピックアップの位置からＦＡＴの記録位置までアクセスするために必要なアクセス時間を算出するアクセス時間算出手段６０４、記録媒体の転送速度と再生機器のデータ読込み速度とＷａｉｔ表示可否判断時間とアクセス時間から基準となるＦＡＴサイズ閾値を算出するアクセス速度考慮基準値算出手段６０５、そしてその他の手段は実施の形態１における図１と同等な手段で構成される。
【００３２】
まず、記録メディア種別取得手段６０２は、記録媒体６０１がＣＤ／ＤＶＤのようなディスクメディアであるか否かを取得する。ピックアップ位置検出手段６０３は、記録媒体６０１がディスクメディアである場合はディスクからデータを読み出すピックアップがどの位置にあるか検出する。アクセス時間算出手段６０４は、ピックアップの位置からＦＡＴの記録位置までアクセスするために必要なアクセス時間（Ｔｐ）を取得する。
【００３３】
次に、アクセス時間考慮基準値算出手段６０５は、アクセス時間（Ｔｐ）を考慮したＦＡＴサイズ閾値（Ｓｆｂ）を以下の計算方法で算出する。ここで、ＦＡＴサイズ（Ｓｆｃ）、基準速度（Ｖｒ）、Ｗａｉｔ表示可否判断時間（Ｔｂ）は取得済みとする。
【００３４】
ＦＡＴサイズ閾値（Ｓｆｂ）＝｛Ｗａｉｔ表示可否判断時間（Ｔｂ）−アクセス時間（Ｔｐ）｝×基準速度（Ｖｒ）
例３として、ＦＡＴサイズ（Ｓｆｃ）：５００ＫＢｙｔｅ、基準速度（Ｖｒ）：５Ｍｂｐｓ、Ｗａｉｔ表示可否判断時間（Ｔｂ）：１秒、アクセス時間（Ｔｐ）：０．６秒の場合は以下の計算結果になる。
【００３５】
ＦＡＴサイズ閾値（Ｓｆｂ）＝｛１秒−０．６秒｝×５Ｍｂｐｓ＝２Ｍｂｉｔ（２５６ＫＢｙｔｅ）
すなわち、ＦＡＴサイズ閾値（Ｓｆｂ）は２５６ＫＢｙｔｅとなる。
【００３６】
ＦＡＴサイズ（Ｓｆｃ）：５００ＫＢｙｔｅ、ＦＡＴサイズ閾値（Ｓｆｂ）：２５６ＫＢｙｔｅであり、ＦＡＴサイズの方がＦＡＴサイズ閾値より大きいためモニタに注意文表示を行う。
【００３７】
例２、例３は基準速度（Ｖｒ）が同じであるが、例３は記録媒体がディスクメディアであり、アクセス時間が読み込み時間に加算されるため読込み時間が長くなり、注意文表示が必要となっている。
【００３８】
図５は本発明の実施の形態２におけるファイル再生装置の処理を示すフローチャートである。まず始めに、ステップＳ７０１にて記録媒体がディスクメディアであるか検出する。ステップＳ７０２でディスク種別を判断し、ディスクメディアでない場合は、ステップ７０３にてアクセス時間（Ｔｐ）を０に設定する。ステップＳ７０２でディスクメディアであると判断した場合は、ステップＳ７０４にてディスクのデータを読み出すピックアップ位置を取得する。ステップＳ７０５にてピックアップの位置からＦＡＴの記録位置までアクセスするために必要なアクセス時間（Ｔｐ）を算出する。ステップＳ５０１からステップＳ５０６までは実施の形態１と同様である。ステップＳ７０８にて基準速度（Ｖｒ）とＷａｉｔ表示可否判断時間（Ｔｂ）とアクセス時間（Ｔｐ）からＦＡＴサイズ閾値（Ｓｆｂ）を算出する。ステップＳ５０８にて、ＦＡＴサイズ（Ｓｆｃ）とＦＡＴサイズ閾値（Ｓｆｂ）を比較する。ＦＡＴサイズ（Ｓｆｃ）が大きい場合はステップＳ５０９にて注意文をディスプレイに表示する。ＦＡＴサイズ閾値（Ｓｆｂ）が大きい場合は注意文を表示せずに処理を終了する。
【００３９】
以上のように本実施の形態では、実施の形態１に加えて、ディスクのピックアップのアクセス時間も考慮して、ＦＡＴの読み込みに要する時間が規定値以上になる場合にのみ注意文表示を行う。これにより、ファイルの読み込みに際し、少ない読み込み時間で足りるファイルにおける注意文のちらつき表示、多くの読み込み時間を要するファイルにおける注意文の不表示を抑制するファイル再生装置を提供することができる。
【産業上の利用可能性】
【００４０】
本発明のファイル再生装置は、ＦＡＴファイルシステムを用いて記録媒体に記録されたファイルの読み込みに際し、少ない読み込み時間で足りるファイルにおける注意文のちらつき表示、多くの読み込み時間を要するファイルにおける注意文の不表示を抑制するという優れた効果を有しているため、異なる読込み速度の記録媒体をマウントして再生可能な再生機器分野において有用である。
【図面の簡単な説明】
【００４１】
【図１】本発明の実施の形態１におけるファイル再生装置の構成を示すブロック図
【図２】転送速度の異なる記録媒体にファイルを記録した場合の模式図
【図３】本発明の実施の形態１におけるファイル再生装置の処理を示すフローチャート
【図４】本発明の実施の形態２におけるファイル再生装置の構成を示すブロック図
【図５】本発明の実施の形態２におけるファイル再生装置の処理を示すフローチャート
【図６】ＦＡＴファイルシステムの構成図
【図７】ＦＡＴを用いたファイルシステムのクラスタチェーンを示す図
【符号の説明】
【００４２】
３００、６００    ファイル再生装置
３０１、６０１    記録媒体
３０２    ＦＡＴサイズ検出手段
３０３    読込み速度検出手段
３０４    基準値算出手段
３０５    比較手段
３０６    表示手段
３０７    モニタ
６０２    記録メディア種別検出手段
６０３    ピックアップ位置検出手段
６０４    アクセス時間算出手段
６０５    アクセス時間考慮基準値算出手段
【図１】
2008210332.tif 000003
【図２】
2008210332.tif 000004
【図３】
2008210332.tif 000005
【図４】
2008210332.tif 000006
【図５】
2008210332.tif 000007
【図６】
2008210332.tif 000008
【図７】
2008210332.tif 000009